(57)【要約】【課題】複数の映像コンテンツをマルチ画面表示する映像表示装置において、ユーザが所望する形で映像コンテンツの配置を容易に変更することが課題となっていた。【解決手段】実施形態の映像表示装置は、複数の映像コンテンツを受信し、マルチ画面に表示する映像コンテンツを抽出し、映像表示部に表示するマルチ画面表示手段を備える。また、前記映像表示部に表示されたマルチ画面に前記マルチ画面の単画面毎に操作が行われる単画面操作モードと、前記マルチ画面の全画面毎に操作が行われる全画面操作モードの切替えが行われるか否かを検出し、前記モード切替えが行われる場合は、前記単画面操作モードと前記全画面操作モードの切替えが行われ、前記モード切替えが行われない場合は、前記単画面操作モードまたは前記全画面操作モードのいずれかのモードが実行されるモード実行手段を備える。【選択図】  図４
2012075045.tif 000002
【特許請求の範囲】
【請求項１】
複数の映像コンテンツを受信する受信手段と、
前記受信された複数の映像コンテンツからマルチ画面に表示する映像コンテンツを抽出し、映像表示部に表示するマルチ画面表示手段と、
前記映像表示部に表示されたマルチ画面に前記マルチ画面の単画面毎に操作が行われる単画面操作モードと、前記マルチ画面の全画面毎に操作が行われる全画面操作モードの切替えが行われるか否かを検出する検出手段と、
前記モード切替えが行われる場合は、前記単画面操作モードと前記全画面操作モードの切替えが行われるモード切替え手段と、
前記モード切替えが行われない場合は、前記単画面操作モードまたは前記全画面操作モードのいずれかのモードが実行されるモード実行手段を備える映像表示装置。
【請求項２】
前記単画面操作モードが実行される場合は、前記マルチ画面の単画面毎に操作が行われる請求項１に記載の映像表示装置。
【請求項３】
前記全画面操作モードが実行される場合は、前記マルチ画面の全画面毎に操作が行われる請求項１に記載の映像表示装置。
【請求項４】
前記全画面操作モードが実行される場合は、予め設定された複数種類の全画面操作の一つの種類の操作が行われる請求項１に記載の映像表示装置。
【請求項５】
前記予め設定された複数種類の全画面操作の種類は、前記マルチ画面表示の１ｃｈ毎に映像をスライド表示させる１ｃｈスライド操作、前記マルチ画面表示の表示全ｃｈをスライド表示させる全ｃｈスライド操作、予め所定の番号ボタンに設定された外部入力または放送ｃｈを表示させる番号ボタン操作、外部入力に設定された映像コンテンツをスライド表示させる外部入力操作のいずれかを含む請求項２に記載の映像表示装置。
【請求項６】
複数の映像コンテンツを受信するステップと、
前記受信された複数の映像コンテンツからマルチ画面に表示する映像コンテンツを抽出し、映像表示部に表示するステップと、
前記映像表示部に表示されたマルチ画面に前記マルチ画面の単画面毎に操作が行われる単画面操作モードと、前記マルチ画面の全画面毎に操作が行われる全画面操作モードの切替えが行われるか否かを検出するステップと、
前記モード切替えが行われる場合は、前記単画面操作モードと前記全画面操作モードの切替えが行われるステップと、
前記モード切替えが行われない場合は、前記単画面操作モードまたは前記全画面操作モードのいずれかのモードが実行されるステップを備える映像表示方法。
【発明の詳細な説明】
【技術分野】
【０００１】
本発明の実施形態は、複数の映像コンテンツを受信し、マルチ画面表示する映像表示装置に関する。
【背景技術】
【０００２】
近年、複数の映像コンテンツを受信し、映像表示装置にマルチ画面表示する、いわゆる映像コンテンツのマルチ画面化が進みつつある。
しかし、映像コンテンツのマルチ画面化においては、複数の映像コンテンツをユーザが所望する適切な配置で視聴するためには、煩雑な操作が求められ、煩雑であるという問題があった。
【先行技術文献】
【特許文献】
【０００３】
【特許文献１】特開２００９−１６４９７７号公報
【発明の概要】
【発明が解決しようとする課題】
【０００４】
複数の映像コンテンツをマルチ画面表示する映像表示装置において、ユーザが所望する形で映像コンテンツの配置を容易に変更することが課題となっていた。
【課題を解決するための手段】
【０００５】
実施形態の映像表示装置は、複数の映像コンテンツを受信する受信手段を備える。
また、前記受信された複数の映像コンテンツからマルチ画面に表示する映像コンテンツを抽出し、映像表示部に表示するマルチ画面表示手段を備える。
また、前記映像表示部に表示されたマルチ画面に前記マルチ画面の単画面毎に操作が行われる単画面操作モードと、前記マルチ画面の全画面毎に操作が行われる全画面操作モードの切替えが行われるか否かを検出する検出手段を備える。
【０００６】
また、前記モード切替えが行われる場合は、前記単画面操作モードと前記全画面操作モードの切替えが行われるモード切替え手段を備える。
また、前記モード切替えが行われない場合は、前記単画面操作モードまたは前記全画面操作モードのいずれかのモードが実行されるモード実行手段を備える。
【図面の簡単な説明】
【０００７】
【図１】実施形態に係わる映像表示装置の外観を示す図。
【図２】実施形態に係わる映像表示装置の一例の構成を示すブロック図。
【図３】実施形態に係わる映像表示装置の動作を説明するフローチャート。
【図４】実施形態に係わる映像表示装置における単画面操作モードと全画面操作モードのモード切替えのようすを説明する図。
【図５】実施形態に係わる映像表示装置の全画面操作モードにおけるマルチ画面表示の１ｃｈ毎に映像をスライド表示させる１ｃｈスライド操作を説明する図。
【図６】実施形態に係わる映像表示装置の全画面操作モードにおけるマルチ画面表示の表示全ｃｈをスライド表示させる全ｃｈスライド操作を説明する図。
【図７】実施形態に係わる映像表示装置の全画面操作モードにおけるマルチ画面表示を予め所定の番号ボタンに設定された外部入力または放送ｃｈからの映像コンテンツを表示させる番号ボタン操作を説明する図。
【図８】実施形態に係わる映像表示装置の全画面操作モードにおけるマルチ画面表示を外部入力に設定された映像コンテンツを優先的に表示させる外部入力操作を説明する図。
【図９】実施形態に係わる映像表示装置の他の例の構成を示すブロック図。
【図１０】実施形態に係わる映像表示装置における他の実施形態に係る単画面操作モードと全画面操作モードのモード切替えのようすを説明する図。
【発明を実施するための形態】
【０００８】
以下、図面を参照し、実施の形態を説明する。
図１は、実施形態に係わる映像表示装置の外観を示す図である。
符号１は映像表示装置（デジタル放送受信装置）、符号２はアンテナ、符号８ａは画面Ａ、符号８ｂは画面Ｂ、符号８ｃは画面Ｃ、１８ａは外部接続機器Ｘ、１８ａは外部接続機器Ｙ、１８ａは外部接続機器Ｚ、１９は外部接続機器Ａである。
【０００９】
この実施の形態においては、映像表示装置１は、図に示すように、例えば、映像コンテンツを表示する表示画面が縦に３つ並んだようなマルチ画面を持つ。
ここでは、図１の上から下に向かって、画面Ａ（８ａ）、画面Ｂ（８ｂ）、画面Ｃ（８ｃ）となっている。
また、映像表示装置１はアンテナ２を介してデジタル放送が受信され、複数の映像コンテンツが受信される。
また、映像表示装置１は図に示すように複数の外部機器が接続される。ここでは、外部機器Ｘ（ＰＣ）１８ａ、外部機器Ｙ（ゲーム機）１８ｂ、外部機器Ｚ（ＤＶＤ）１８ｃがそれぞれＨＤＭＩで接続されている。また、外部機器Ａ（ＰＣ）１９が接続されている。
【００１０】
ここで、上記ＨＤＭＩ（エイチ-ディー-エム-アイ）はＨｉｇｈ−Ｄｅｆｉｎｉｔｉｏｎ  Ｍｕｌｔｉｍｅｄｉａ  Ｉｎｔｅｒｆａｃｅの略で、マルチメディアインターフェースの1つである。また、上記Ｅｔｈｅｒｎｅｔ（登録商標）（イーサネット（登録商標））はコンピュータネットワークの規格のひとつで、ＬＡＮ（Ｌｏｃａｌ  Ａｒｅａ  Ｎｅｔｗｏｒｋ）で使用されている技術規格である。
【００１１】
図２は、実施形態に係わる映像表示装置の一例の構成を示すブロック図である。
この実施の形態においては、図に示すように、３つのＨＤＭＩ入力端子、アンテナ端子、Ｅｔｈｅｒｎｅｔ（登録商標）端子が、使用できるように構成されている。
また、リモコン制御はここでは一箇所の受光部（リモコン信号受信部２０）で受信したユーザの指示を制御部（ＭＰＵ）１１が解釈し、外部入力の入力切り替え等の制御を行う。
【００１２】
符号３はチューナ、符号４は信号処理部、符号５は映像処理部、符号６は音声処理部である。
符号７ａは表示装置Ａ、符号７ｂは表示装置Ｂ、符号７ｃは表示装置Ｃ、符号９ａはスピーカＡ、符号９ｂはスピーカＢ、符号９ｃはスピーカＣである。
符号１０はバス、符号１１は制御部（ＭＰＵ）、符号１３はＲＡＭ、符号１４はＲＯＭ、符号１５はフラッシュメモリである。符号１６ａはＨＤＭＩ端子、符号１６ｂはＨＤＭＩ端子、符号１６ｃはＨＤＭＩ端子、符号１７はＥｔｈｅｒｎｅｔ（登録商標）入力端子、符号２０はリモコン信号受信部、符号２１は操作機器（リモコン）である。
【００１３】
制御部（ＭＰＵ）１１は、バス１０を介して、チューナ３、信号処理部４、映像処理部５、音声処理部６に接続され、ＲＡＭ１３、ＲＯＭ１４、フラッシュメモリ１５を用い、これらを制御する。
【００１４】
操作機器（リモコン）２１は、ユーザに操作され、ユーザの指示がリモコン信号で出力され、リモコン信号受信部２０で受信される。リモコン信号受信部２０で受信されたリモコン信号、すなわちユーザの指示はバス１０を介して制御部１１に送信され、ユーザの指示に応じ、映像表示装置１が制御される。
【００１５】
放送局２５からデジタル放送で送信された映像コンテンツはアンテナ３で受信される。そして、アンテナ３で受信された映像コンテンツを含むデジタル放送はチューナ３に送信される。
【００１６】
チューナ３ではデジタル放送の選局を行い、選局された放送、すなわち映像コンテンツを映像信号の形態で信号処理部４に送信する。
ここでは、例えばチューナ３は複数の放送を同時に受信できるように構成されている。そして、複数の放送を同時に選局し、映像信号の形態の複数の映像コンテンツを信号処理部４に出力する。
【００１７】
信号処理部４はチューナ３から出力された映像信号の形態の複数の映像コンテンツを受信し、信号処理を施して音声処理部６および映像処理部５に出力する。
音声処理部６は信号処理部４から出力された信号処理が施された映像信号の形態の複数の映像コンテンツに音声処理を施し、スピーカ９ａ、スピーカ９ｂ、スピーカ９ｃに出力する。
【００１８】
また、映像処理部５は信号処理部４から出力された信号処理が施された映像信号の形態の複数の映像コンテンツに映像処理を施し、画面８ａ、画面８ｂ、画面８ｃに出力する。
【００１９】
また、この実施の形態においては、外部機器Ｘ（ＰＣ）１８ａはＨＤＭＩ入力端子１６ａに接続され、ＨＤＭＩ入力端子１６ａを介し、映像表示装置１は、外部機器Ｘ（ＰＣ）１８ａから映像信号の形態で映像コンテンツを受信する。
【００２０】
同様に、外部機器Ｙ（ゲーム機）１８ｂはＨＤＭＩ入力端子１６ｂに接続され、ＨＤＭＩ入力端子１６ｂを介し、映像表示装置１は、外部機器Ｙ（ゲーム機）１８ｂから映像コンテンツを受信する。
【００２１】
同様に、外部機器Ｚ（ＤＶＤ）１８ｃはＨＤＭＩ入力端子１６ｃに接続され、ＨＤＭＩ入力端子１６ｃを介し、映像表示装置１は、外部機器Ｚ（ＤＶＤ）１８ｃから映像コンテンツを受信する。
【００２２】
また同様に、外部機器Ａ（ＰＣ）１９はＥｔｈｅｒｎｅｔ（登録商標）入力端子１７に接続され、Ｅｔｈｅｒｎｅｔ（登録商標）入力端子１７を介し、映像表示装置１は、外部機器Ａ（ＰＣ）１９から映像コンテンツを受信する。
【００２３】
これら外部機器Ｘ（ＰＣ）１８ａ、外部機器Ｙ（ゲーム機）１８ｂ、外部機器Ｚ（ＤＶＤ）１８ｃ、外部機器Ａ（ＰＣ）１９から受信した映像信号の形態の複数の映像コンテンツは、制御部（ＭＰＵ）１１に制御され、音声処理部６および映像処理部５に出力される。
【００２４】
上記と同様に、音声処理部６は信号処理部４から出力された信号処理が施された映像信号の形態の複数の映像コンテンツに音声処理を施し、スピーカ９ａ、スピーカ９ｂ、スピーカ９ｃに出力する。
【００２５】
また上記と同様に、映像処理部５は信号処理部４から出力された信号処理が施された映像信号の形態の複数の映像コンテンツに映像処理を施し、画面８ａ、画面８ｂ、画面８ｃに出力する。
【００２６】
また、この実施の形態においては、制御部（ＭＰＵ）１１の制御により、上記のように放送や外部機器から受信した複数の映像コンテンツから後述するように、マルチ画面に表示する映像コンテンツを抽出し、それぞれ画面８ａ、画面８ｂ、画面８ｃに表示する。
【００２７】
図３は、実施形態に係わる映像表示装置の動作を説明するフローチャートである。
符号Ｓ１００はここでの開始ステップである。続いて符合Ｓ１０１を付したステップへ進む。
符号Ｓ１０１は上記のように、放送や外部機器から複数の映像コンテンツを受信するステップである。続いて符合Ｓ１０２を付したステップへ進む。
符号Ｓ１０２は後述するマルチ画面に表示する映像コンテンツを所定の基準で抽出するステップである。続いて符合Ｓ１０３を付したステップへ進む。
符号Ｓ１０３は上記抽出された複数の映像コンテンツを映像表示部へマルチ画面表示するステップである。続いて符合Ｓ１０４を付したステップへ進む。
符号Ｓ１０４は上記マルチ画面表示を用いてユーザが操作する際の単画面操作、全画面操作のモード（後述）を切替えるか否かを判別するステップである。
マルチ画面表示を用いてユーザが行う操作は、例えば、所望の映像コンテンツを探索するためにマルチ画面の表示を切替える動作である。このように探索された所望の映像コンテンツは、例えばユーザに視聴される。
【００２８】
単画面操作、全画面操作のモードを切替えると判別する場合は符号Ｓ１０５を付したステップへ進む（Ｙｅｓ）。単画面操作、全画面操作のモードを切替えないと判別する場合は符号Ｓ１０６を付したステップへ進む（Ｎｏ）。
【００２９】
符号Ｓ１０５はユーザが例えば操作機器（リモコン）２１に設けられた図示しない切替えボタンを操作し、操作モードを切替えるステップである。ここでは、後述するように単画面操作モードと全画面操作モードの切替えが行われる。続いて符合Ｓ１０６を付したステップへ進む。
【００３０】
符号Ｓ１０６は制御部（ＭＰＵ）１１が操作モードを判定するステップである。続いて符合Ｓ１０７を付したステップへ進む。
符号Ｓ１０７はマルチ画面の全画面操作が指示されたか否かを判別するステップである。ここでは、全画面操作とは、マルチ画面表示された全ての表示画面を操作することである。マルチ画面の全画面操作が指示されたと判別される場合は符合Ｓ１０８を付したステップへ進む（Ｙｅｓ）。マルチ画面の全画面操作が指示されないと判別される場合は符合Ｓ１１３を付したステップへ進む（Ｎｏ）。
【００３１】
符号Ｓ１０８はマルチ画面表示の１ｃｈ毎に映像をスライド表示させる１ｃｈスライド操作を行うか否かを判別するステップである。
ここでは、複数の種類の全画面操作が、例えばフラッシュメモリ１５に記憶され、予め設定され、制御部（ＭＰＵ）１１によって使用される。
フラッシュメモリ１５に記憶される全画面操作は、例えば、マルチ画面表示の１ｃｈ毎に映像をスライド表示させる１ｃｈスライド操作、マルチ画面表示の表示全ｃｈをスライド表示させる全ｃｈスライド操作、予め所定の番号ボタンに設定された外部入力または放送ｃｈに表示させる番号ボタン操作、外部入力に設定された映像コンテンツをスライド表示させる外部入力操作等である。
【００３２】
そして、上記１ｃｈスライド操作を行うと判別される場合は符合Ｓ１１２を付したステップへ進む（Ｙｅｓ）。１ｃｈスライド操作を行うと判別されない場合は符合Ｓ１０９を付したステップへ進む（Ｎｏ）。
【００３３】
符号Ｓ１０９は上記表示全ｃｈスライド操作を行うか否かを判別するステップである。表示全ｃｈスライド操作を行うと判別される場合は符合Ｓ１１２を付したステップへ進む（Ｙｅｓ）。表示全ｃｈスライド操作を行うと判別されない場合は符合Ｓ１１０を付したステップへ進む（Ｎｏ）。
【００３４】
符号Ｓ１１０は上記番号ボタン操作を行うか否かを判別するステップである。番号ボタン操作を行うと判別される場合は符合Ｓ１１２を付したステップへ進む（Ｙｅｓ）。番号ボタン操作を行うと判別されない場合は符合Ｓ１１１を付したステップへ進む（Ｎｏ）。
【００３５】
符号Ｓ１１１は上記外部入力操作を行うか否かを判別するステップである。外部入力操作を行うと判別される場合は符合Ｓ１１２を付したステップへ進む（Ｙｅｓ）。外部入力操作を行うと判別されない場合は符合Ｓ１０６を付したステップへ進み、上記処理を繰り返す（Ｎｏ）。
【００３６】
符号Ｓ１１２は上記のように操作を行うと判別された１ｃｈスライド操作、全ｃｈスライド操作、番号ボタン操作、外部入力操作のいずれかの操作を行うステップである。続いて符合Ｓ１１４を付したステップへ進む。
【００３７】
符号Ｓ１１３は映像表示部表示されたマルチ画面を単画面毎に操作する単画面操作を行うステップである。続いて符合Ｓ１１４を付したステップへ進む。
符号Ｓ１１４は終了ステップであり、ここでの処理は終了する。
すなわち、この実施の形態においては、ユーザが操作機器（リモコン）２１を操作すると、上記のように、制御部（ＭＰＵ）１１が操作モードの変更を実施する指示かどうかを判別する。
【００３８】
そして、操作モードを変更する場合は、画面単体を制御するモードから画面全部を制御するモードを順番に遷移させる。モード遷移については、以下図４を用いて説明する。この実施の形態においては、このように構成することで、単画面操作や全画面操作等の制御対象を切り替えることが可能になる。
【００３９】
また、ユーザによる操作機器（リモコン）２１の操作が、上記操作モードの変更ではない指示の場合は、現在の操作モードをもって判別し、判別されたモードが単画面操作モードであれば、操作対象の画面に対して、選局等の指示内容を実施する。
【００４０】
また、全画面操作モードで、後述する番号ボタン指示（通常は対応するチャネル選局処理）の場合は、対応番号に記録された各画面の設定状態をメモリ（例えばフラッシュメモリ１５）から呼び戻し、設定当時の入力対象（チャネルまたは外部入力）と出力先（画面）の対応を復元する。なお、この番号ボタン指示以外では、対応する指示内容を実施する。
【００４１】
なお、この実施の形態においては、上記判別処理を制御部（ＭＰＵ）１１が行う例を用いて説明を行ったが、この制御部（ＭＰＵ）１１が行う判別処理を操作機器（リモコン）２１が行うように構成することも可能である。
【００４２】
図４は、実施形態に係わる映像表示装置における単画面操作モードと全画面操作モードのモード切替えのようすを説明する図である。
この実施の形態においては、上記マルチ画面を操作するモードである単画面操作モードと全画面操作モードの間を遷移する。単画面操作モードは、対象画面に対する操作を行うモードである。また、全画面操作モードは、表示されたマルチ画面の全部の画面を対象とし、全対象画面に対し連動した操作を行うモードである。
【００４３】
また、この実施の形態においては、単画面操作モードにおいて対象画面を切替えるためのモードを備え、例えば、対象画面を順に切り替えるように遷移する。
図４（ａ）は単画面操作モードと全画面操作モードのモード切替えのようすを説明する図である。
ここでは、操作対象が表示画面Ａ（４１１）、表示画面Ｂ（４１２）、表示画面Ｃ（４１２）のいずれかである場合は単画面操作モード４０１である。
例えば、操作対象が表示画面Ａ（４１１）である場合は、図４（ｂ）に示すように、表示画面Ａ（４１１）が操作対象になっていることを表示することも可能である。
【００４４】
また、同様に、操作対象が表示画面Ｂ（４１２）である場合は、図４（ｂ）の表示画面Ｂ（４１２）操作対象になっていることを表示し、操作対象が表示画面Ｃ（４１３）である場合は、図４（ｂ）の表示画面Ｃ（４１３）操作対象になっていることを表示することも可能である。
【００４５】
また、操作対象が前記マルチ画面の全画面４１４である場合は全画面操作モード４０２である。
例えば、操作対象が表示画面Ａ（４１１）、表示画面Ｂ（４１２）、表示画面Ｃ（４１２）のようにマルチ画面の全てが対象である場合は、図４（ｂ）に示すように、全てのマルチ画面、すなわち表示画面Ａ（４１１）、表示画面Ｂ（４１２）、表示画面Ｃ（４１２）の全てが操作対象になっていることを表示することも可能である。
【００４６】
図５は、実施形態に係わる映像表示装置の全画面操作モードにおけるマルチ画面表示の１ｃｈ毎に映像をスライド表示させる１ｃｈスライド操作を説明する図である。
【００４７】
この実施の形態においては、まず、上記のように受信された複数の映像コンテンツから例えば、図５（ａ）に示すように、デジタル放送に付与されているチャンネル番号順に３チャンネル分マルチ画面に表示する映像コンテンツを抽出する。そして、抽出されたマルチ画面を表示する。
【００４８】
ここでは、画面Ａ（８ａ）にチャンネル１（１ｃｈ）、画面Ｂ（８ｂ）にチャンネル２（２ｃｈ）、画面Ｃ（８ｃ）にチャンネル３（３ｃｈ）の映像コンテンツがマルチ画面で表示される。
【００４９】
この実施の形態においては、上記のように複数の映像コンテンツからマルチ画面に表示する映像コンテンツが抽出される。
この実施の形態においては、全画面操作モードにおける、チャネル切り替え処理例として、チャネルＵＰ／ＤＯＷＮ操作によって、画面の位置にあわせて、１ｃｈずつ表示をスライドさせる。
【００５０】
続いて、チャンネルのＵＰ操作が施される。
図５（ｂ）は、例えばチャンネルのＵＰ操作が施された例である。このチャンネルＵＰ操作によって、画面Ａ（８ａ）にチャンネル２（２ｃｈ）、画面Ｂ（８ｂ）にチャンネル３（３ｃｈ）、画面Ｃ（８ｃ）にチャンネル４（４ｃｈ）の映像コンテンツがマルチ画面で表示される。
【００５１】
続いて、チャンネルのＵＰ操作が施される。
図５（ｃ）は、例えば続いてチャンネルのＵＰ操作が施された例である。このチャンネルＵＰ操作によって、画面Ａ（８ａ）にチャンネル３（３ｃｈ）、画面Ｂ（８ｂ）にチャンネル４（４ｃｈ）、画面Ｃ（８ｃ）にチャンネル５（５ｃｈ）の映像コンテンツがマルチ画面で表示される。
【００５２】
続いて、チャンネルのＤＯＷＮ操作が施される。
図５（ｄ）は、例えば続いてチャンネルのＤＯＷＮ操作が施された例である。このチャンネルＤＯＷＮ操作によって、画面Ａ（８ａ）にチャンネル２（２ｃｈ）、画面Ｂ（８ｂ）にチャンネル３（３ｃｈ）、画面Ｃ（８ｃ）にチャンネル４（４ｃｈ）の映像コンテンツがマルチ画面で表示される。
【００５３】
図６は、実施形態に係わる映像表示装置の全画面操作モードにおけるマルチ画面表示の表示全ｃｈをスライド表示させる全ｃｈスライド操作を説明する図である。
この実施の形態においては、全画面操作モードにおける、チャネル切り替え処理例として、チャネルＵＰ／ＤＯＷＮ操作によって、画面の数だけ一度に表示を更新させる。
【００５４】
まず、上記と同様に、この実施の形態においては、受信された複数の映像コンテンツから例えば、図６（ａ）に示すように、デジタル放送に付与されているチャンネル番号順に３チャンネル分マルチ画面に表示する映像コンテンツを抽出する。そして、抽出されたマルチ画面を表示する。
【００５５】
この実施の形態においては、上記のように複数の映像コンテンツからマルチ画面に表示する映像コンテンツが抽出される。
ここでは、画面Ａ（８ａ）にチャンネル１（１ｃｈ）、画面Ｂ（８ｂ）にチャンネル２（２ｃｈ）、画面Ｃ（８ｃ）にチャンネル３（３ｃｈ）の映像コンテンツがマルチ画面で表示される。
【００５６】
ここでは、続いて、チャンネルのＵＰ操作が施される。
上記のように、この実施の形態においては、チャネルＵＰ／ＤＯＷＮ操作によって、画面の数だけ一度に表示を更新させる。
図６（ｂ）は、チャンネルのＵＰ操作が施された例である。このチャンネルＵＰ操作によって、画面Ａ（８ａ）にチャンネル５（５ｃｈ）、画面Ｂ（８ｂ）にチャンネル６（６ｃｈ）、画面Ｃ（８ｃ）にチャンネル７（７ｃｈ）の映像コンテンツがマルチ画面で表示される。
【００５７】
続いて、チャンネルのＵＰ操作が施される。
図６（ｃ）は、チャンネルのＵＰ操作が施された例である。このチャンネルＵＰ操作によって、画面Ａ（８ａ）にチャンネル８（８ｃｈ）、画面Ｂ（８ｂ）にチャンネル９（９ｃｈ）、画面Ｃ（８ｃ）にチャンネル１０（１０ｃｈ）の映像コンテンツがマルチ画面で表示される。
【００５８】
続いて、チャンネルのＤＯＷＮ操作が施される。
図６（ｄ）は、チャンネルのＤＯＷＮ操作が施された例である。このチャンネルＤＯＷＮ操作によって、画面Ａ（８ａ）にチャンネル５（５ｃｈ）、画面Ｂ（８ｂ）にチャンネル６（６ｃｈ）、画面Ｃ（８ｃ）にチャンネル７（７ｃｈ）の映像コンテンツがマルチ画面で表示される。
【００５９】
図７は、実施形態に係わる映像表示装置の全画面操作モードにおけるマルチ画面表示の表示全ｃｈを予め所定の番号ボタンに設定された外部入力または放送ｃｈを表示させる番号ボタン操作を説明する図である。
【００６０】
この実施の形態においては、例えば、操作機器（リモコン）２１に設けられている番号ボタンを用い、前記マルチ画面表示の設定記録や呼び出しを行う。
この実施の形態においては、上記全画面操作モードにおいて、ユーザによって番号ボタンが押されることによって、所定の番号ボタンに割り当て記憶した、各画面への入力内容を復元する。
【００６１】
すなわち、例えば、図７（ａ）および図７（ｂ）に示すように、画面Ａ（８ａ）にパソコンの外部入力Ｘ、画面Ｂ（８ｂ）に地上デジタル放送の１ｃｈの放送、画面Ｃ（８ｃ）にゲーム機の外部入力Ｙを、それぞれ入力元と出力先の関係を番号ボタンの番号１に対応するように例えばフラッシュメモリ１５に記録する。
【００６２】
そして、ユーザによって番号ボタン１が押されると、図７（ｃ）に示すように、画面Ａ（８ａ）にパソコンの外部入力Ｘ、画面Ｂ（８ｂ）に地上デジタル放送の１ｃｈの放送、画面Ｃ（８ｃ）にゲーム機の外部入力Ｙが表示される。
【００６３】
この実施の形態においては、上記のように複数の映像コンテンツからマルチ画面に表示する映像コンテンツが抽出される。
図８は、実施形態に係わる映像表示装置の全画面操作モードにおけるマルチ画面表示を外部入力に設定された映像コンテンツを優先的に表示させる外部入力操作を説明する図である。
【００６４】
この実施の形態においては、例えば、映像表示装置１に接続された外部入力の画面への割り付けを優先し、表示するように構成する例である。
ここでは、２つの外部入力Ｘ及びＹが接続されている状態を考え、図８（ａ）および図８（ｂ）に示すように、画面Ａ（８ａ）にパソコンの外部入力Ｘが配置優先度１の位置に配置される。
【００６５】
また、画面Ｃ（８ｃ）にゲーム機の外部入力Ｙが配置優先度２の位置に配置される。
接続された外部入力は２つのみであるため、画面Ｂ（８ｂ）には外部入力以外の映像として、地上デジタル放送の１ｃｈの放送が配置優先度３の位置に配置される。
このように構成することによって、例えば、上記説明した図７の設定を簡単に実現することが可能になる。
また、他の例として、上記配置を決めるために、割り付け順を、画面の配置より外側を優先して決めるという方法を用いる。このように構成することで、外部入力を外側、放送表示を内側に集めることができ、マルチ画面表示を見やすくすることが可能になる。
【００６６】
この実施の形態においては、上記のように複数の映像コンテンツからマルチ画面に表示する映像コンテンツが抽出される。
図９は、実施形態に係わる映像表示装置の他の例の構成を示すブロック図である。
上記と同一の構成については同一の符号を付して説明を省略する。
この実施の形態は、上記に対しＬＣＤ等の表示装置（表示部）７を１つにし、この表示装置（表示部）７に上記マルチ画面表示を表示するように構成した例である。
図１０は、実施形態に係わる映像表示装置における他の実施形態に係る単画面操作モードと全画面操作モードのモード切替えのようすを説明する図である。
図１０は表示画面８にマルチ画面表示が表示されている。
図１０（ａ）は上記単画面操作を示す図である。ここでは符号１０１１を付すように、図の画面Ａが操作されることを示している。
図１０（ｂ）は上記全画面操作を示す図である。ここでは符号１０１４を付すように、図の画面Ａ、画面Ｂ、画面Ｃ、画面Ｄが操作されることを示している。
この実施の形態においては単画面操作モードが実行される場合は、マルチ画面の単画面毎に操作を行うことが可能になる。
また、全画面操作モードが実行される場合は、マルチ画面の全画面毎に操作を行うことが可能になる。
また、全画面操作モードが実行される場合は、予め設定された複数種類の全画面操作の一つの種類の操作を行うことが可能になる。
上記のように構成することによって、この発明の実施の形態においては、単画面操作モードと全画面操作モードを備えることにより、例えば、マルチ画面表示において、ユーザが所望する形で映像コンテンツの配置を容易に変更することが可能になる。
【００６７】
上記説明においては、有線で接続される外部入力を用いたが、この実施の形態においては、有線に限らず無線を用いることも可能である。
なお、上記実施形態は、記述そのものに限定されるものではなく、実施段階では、その趣旨を逸脱しない範囲で、構成要素を種々変形して具体化することが可能である。
【符号の説明】
【００６８】
１…映像表示装置（デジタル放送受信装置）、２…アンテナ、３…チューナ、４…信号処理部、５…映像処理部、６…音声処理部、７…表示装置、７ａ…表示装置Ａ、７ｂ…表示装置Ｂ、７ｃ…表示装置Ｃ、８…画面、８ａ…画面Ａ、８ｂ…画面Ｂ、８ｃ…画面Ｃ、９…スピーカ、９ａ…スピーカＡ、９ｂ…スピーカＢ、９ｃ…スピーカＣ、１０…バス、１１…制御部（ＭＰＵ）、１３…ＲＡＭ、１４…ＲＯＭ、１５…フラッシュメモリ、１６ａ…ＨＤＭＩ端子、１６ｂ…ＨＤＭＩ端子、１６ｃ…ＨＤＭＩ端子、１７…Ｅｔｈｅｒｎｅｔ（登録商標）入力端子、１８ａ…外部接続機器Ｘ、１８ａ…外部接続機器Ｙ、１８ａ…外部接続機器Ｚ、１９…外部接続機器Ａ、２０…リモコン信号受信部、２１…操作機器（リモコン）。
【図１】
2012075045.tif 000003
【図２】
2012075045.tif 000004
【図３】
2012075045.tif 000005
【図４】
2012075045.tif 000006
【図５】
2012075045.tif 000007
【図６】
2012075045.tif 000008
【図７】
2012075045.tif 000009
【図８】
2012075045.tif 000010
【図９】
2012075045.tif 000011
【図１０】
2012075045.tif 000012